(57)【特許請求の範囲】
【請求項１】
登録される予定を記憶する記憶手段と、
上記予定が登録されるときに、上記予定の第１の時刻および第２の時刻の入力を受け取るための時刻指定エリアを画面に表示する表示手段と、
上記時刻指定エリアへの上記予定の第１の時刻の入力が終了したときに、上記入力により指定された上記時刻指定エリアにおける画面位置に基づいて、登録される上記予定の第１の時刻として指定された時刻を求める第１の時刻指定手段と、
上記第１の時刻指定手段により求められた上記第１の時刻を上記記憶手段に記憶させる第１の時刻記録手段と、
上記時刻指定エリアへの上記予定の第２の時刻の入力が終了したときに、上記入力により指定された上記時刻指定エリアにおける画面位置に基づいて、登録される上記予定の第２の時刻として指定された時刻を求める第２の時刻指定手段と、
上記第２の時刻指定手段により求められた上記第２の時刻を上記記憶手段に記憶させる第２の時刻記録手段と
を備え、
上記表示手段が表示する上記時刻指定エリアは、
一日分の時刻が部分表示される第１の種別と、
一日分の時刻がすべて同時に一画面に表示される第２の種別とを含み、
上記予定の上記第１の時刻は、上記第１の種別による上記時刻指定エリアにより入力される、上記予定の開始時刻であり、
上記予定の上記第２の時刻は、上記第２の種別による上記時刻指定エリアにより入力される、上記予定の終了時刻であることを特徴とする携帯端末。
【請求項２】
上記第２の種別による上記時刻指定エリアは、一日分の時刻を升目状に配置して画面表示することを特徴とする請求項１に記載の携帯端末。
【請求項３】
上記第２の種別による上記時刻指定エリアは、一日分の時刻を帯グラフ状に画面表示することを特徴とする請求項１に記載の携帯端末。
【請求項４】
予定が登録されるときに、上記予定の第１の時刻および第２の時刻の入力を受け取るための時刻指定エリアを画面に表示する表示ステップと、
上記時刻指定エリアへの上記予定の第１の時刻の入力が終了したときに、上記入力により指定された上記時刻指定エリアにおける画面位置に基づいて、登録される上記予定の第１の時刻として指定された時刻を求める第１の時刻指定ステップと、
上記第１の時刻指定ステップにより求められた上記第１の時刻を記憶装置に記憶させる第１の時刻記録ステップと、
上記時刻指定エリアへの上記予定の第２の時刻の入力が終了したときに、上記入力により指定された上記時刻指定エリアにおける画面位置に基づいて、登録される上記予定の第２の時刻として指定された時刻を求める第２の時刻指定ステップと、
上記第２の時刻指定ステップにより求められた上記第２の時刻を上記記憶装置に記憶させる第２の時刻記録ステップと
をコンピュータに実行させるためのスケジュール管理プログラムであって、
上記表示手段が表示する上記時刻指定エリアは、
一日分の時刻が部分表示される第１の種別と、
一日分の時刻がすべて同時に一画面に表示される第２の種別とを含み、
上記予定の上記第１の時刻は、上記第１の種別による上記時刻指定エリアにより入力される、上記予定の開始時刻であり、
上記予定の上記第２の時刻は、上記第２の種別による上記時刻指定エリアにより入力される、上記予定の終了時刻であることを特徴とするスケジュール管理プログラム。
【請求項５】
上記第２の種別による上記時刻指定エリアは、一日分の時刻を升目状に配置して画面表示することを特徴とする請求項４に記載のスケジュール管理プログラム。
【請求項６】
上記第２の種別による上記時刻指定エリアは、一日分の時刻を帯グラフ状に画面表示することを特徴とする請求項４に記載のスケジュール管理プログラム。
【請求項７】
予定が登録されるときに、上記予定の第１の時刻および第２の時刻の入力を受け取るための時刻指定エリアを画面に表示する表示ステップと、
上記時刻指定エリアへの上記予定の第１の時刻の入力が終了したときに、上記入力により指定された上記時刻指定エリアにおける画面位置に基づいて、登録される上記予定の第１の時刻として指定された時刻を求める第１の時刻指定ステップと、
上記第１の時刻指定ステップにより求められた上記第１の時刻を記憶装置に記憶させる第１の時刻記録ステップと、
上記時刻指定エリアへの上記予定の第２の時刻の入力が終了したときに、上記入力により指定された上記時刻指定エリアにおける画面位置に基づいて、登録される上記予定の第２の時刻として指定された時刻を求める第２の時刻指定ステップと、
上記第２の時刻指定ステップにより求められた上記第２の時刻を上記記憶装置に記憶させる第２の時刻記録ステップと
をコンピュータに実行させるためのスケジュール管理プログラムを記録したコンピュータ読み取り可能な記録媒体であって、
上記表示手段が表示する上記時刻指定エリアは、
一日分の時刻が部分表示される第１の種別と、
一日分の時刻がすべて同時に一画面に表示される第２の種別とを含み、
上記予定の上記第１の時刻は、上記第１の種別による上記時刻指定エリアにより入力される、上記予定の開始時刻であり、
上記予定の上記第２の時刻は、上記第２の種別による上記時刻指定エリアにより入力される、上記予定の終了時刻であることを特徴とする記録媒体。
【請求項８】
上記第２の種別による上記時刻指定エリアは、一日分の時刻を升目状に配置して画面表示することを特徴とする請求項７に記載の記録媒体。
【請求項９】
上記第２の種別による上記時刻指定エリアは、一日分の時刻を帯グラフ状に画面表示することを特徴とする請求項７に記載の記録媒体。
【発明の詳細な説明】
【技術分野】
【０００１】
この発明は携帯端末、スケジュール管理プログラムおよびスケジュール管理プログラムを記録した記録媒体に関し、特に、スケジュール機能を備えた携帯端末、および、当該携帯端末用のスケジュール管理プログラム、スケジュール管理プログラムを記録した記録媒体に関する。
【背景技術】
【０００２】
従来の情報処理装置においては、スケジュールの時間入力に際し、開始時刻および終了時刻の指定を数字で直接入力するか、あるいは、マウスや入力ペンを用いて画面上の開始時刻から終了時刻までをドラッグする方法で入力することが提案されている（例えば、特許文献１参照）。
【０００３】
【特許文献１】特開平１１−６６０１６号公報
【発明の開示】
【発明が解決しようとする課題】
【０００４】
従来の情報処理装置においては、開始時刻や終了時刻の指定を数字で直接入力しているため、携帯電話機のように、入力方法が限られている装置においては、ユーザが入力する手間がかかるという問題点があった。
【０００５】
また、従来の情報処理装置においては、別の入力方法として、上述したように、マウスや入力ペンを用いて、開始時刻から終了時刻までをドラッグする方法で、開始時刻や終了時刻を入力している。すなわち、画面上の開始時刻に一度マウスポインタか入力ペンを置き、そのままマウスでドラッグするか、入力ペンを画面から離さずに、終了時刻まで引く方法で入力する。この方法では、装置の小型化により、画面サイズの小さい装置においては、開始時刻と終了時刻とを同時に画面に表示することができないため、入力操作を行うことができないという問題点があった。
【０００６】
また、開始時刻と終了時刻を無理に小さな画面に同時に表示させようとすると、文字やポインタ可能なエリアが小さくなってしまい、ユーザが操作できないという問題点があった。
【０００７】
この発明は、かかる問題点を解決するためになされたものであり、画面サイズの小さい装置においても、開始時刻と終了時刻の２点を指定するだけでスケジュールの登録が可能な携帯端末、スケジュール管理プログラムおよびスケジュール管理プログラムを記録した記録媒体を得ることを目的としている。
【課題を解決するための手段】
【０００８】
この発明は、登録される予定を記憶する記憶手段と、上記予定が登録されるときに、上記予定の第１の時刻および第２の時刻の入力を受け取るための時刻指定エリアを画面に表示する表示手段と、上記時刻指定エリアへの上記予定の第１の時刻の入力が終了したときに、上記入力により指定された上記時刻指定エリアにおける画面位置に基づいて、登録される上記予定の第１の時刻として指定された時刻を求める第１の時刻指定手段と、上記第１の時刻指定手段により求められた上記第１の時刻を上記記憶手段に記憶させる第１の時刻記録手段と、上記時刻指定エリアへの上記予定の第２の時刻の入力が終了したときに、上記入力により指定された上記時刻指定エリアにおける画面位置に基づいて、登録される上記予定の第２の時刻として指定された時刻を求める第２の時刻指定手段と、上記第２の時刻指定手段により求められた上記第２の時刻を上記記憶手段に記憶させる第２の時刻記録手段とを備え、上記表示手段が表示する上記時刻指定エリアは、一日分の時刻が部分表示される第１の種別と、一日分の時刻がすべて同時に一画面に表示される第２の種別とを含み、上記予定の上記第１の時刻は、上記第１の種別による上記時刻指定エリアにより入力される、上記予定の開始時刻であり、上記予定の上記第２の時刻は、上記第２の種別による上記時刻指定エリアにより入力される、上記予定の終了時刻であることを特徴とする携帯端末である。
【発明の効果】
【０００９】
この発明は、登録される予定を記憶する記憶手段と、上記予定が登録されるときに、上記予定の第１の時刻および第２の時刻の入力を受け取るための時刻指定エリアを画面に表示する表示手段と、上記時刻指定エリアへの上記予定の第１の時刻の入力が終了したときに、上記入力により指定された上記時刻指定エリアにおける画面位置に基づいて、登録される上記予定の第１の時刻として指定された時刻を求める第１の時刻指定手段と、上記第１の時刻指定手段により求められた上記第１の時刻を上記記憶手段に記憶させる第１の時刻記録手段と、上記時刻指定エリアへの上記予定の第２の時刻の入力が終了したときに、上記入力により指定された上記時刻指定エリアにおける画面位置に基づいて、登録される上記予定の第２の時刻として指定された時刻を求める第２の時刻指定手段と、上記第２の時刻指定手段により求められた上記第２の時刻を上記記憶手段に記憶させる第２の時刻記録手段とを備え、上記表示手段が表示する上記時刻指定エリアは、一日分の時刻が部分表示される第１の種別と、一日分の時刻がすべて同時に一画面に表示される第２の種別とを含み、上記予定の上記第１の時刻は、上記第１の種別による上記時刻指定エリアにより入力される、上記予定の開始時刻であり、上記予定の上記第２の時刻は、上記第２の種別による上記時刻指定エリアにより入力される、上記予定の終了時刻であることを特徴とする携帯端末であるので、予定の開始時刻と終了時刻とを別々に入力することにより、開始時刻の入力操作と終了時刻の入力操作との間で他の別の操作の受け付けが可能であるとともに、画面サイズの小さい装置においても、開始時刻と終了時刻の２点を指定するだけでスケジュールの登録が可能である。
【発明を実施するための最良の形態】
【００１０】
実施の形態１．
以下、この発明の実施の形態について説明する。図１は、この発明におけるシステム全体の構成を示した図である。図１において、１はスケジュール機能およびペン入力機能を備えた携帯端末であり、入力ペン２を用いて種々のデータを入力する。携帯端末１は単独でスケジュール管理を行うことが可能なだけでなく、インターネット３等のネットワークを介してセンタサーバ４と接続して、センタサーバ４上で動作する対応グループウエアとの間でスケジュールの同期をとる機能も有する。
【００１１】
図２は、本実施の形態１に係る携帯端末１の画面の一例を示した図である。図２に示すように、携帯端末１は、一日の予定を表示する日表示（図２（ａ））と、一週間の予定を表示する週表示（図２（ｂ））と、一ヶ月の予定を表示する月表示（図２（ｃ））に画面を切り替えることが可能である。但し、スケジュール（予定）の登録は、図２（ａ）の日表示画面からのみ可能とする。登録方法については図３および図４を用いて後述する。なお、図２（ｄ）は、予定を入力し終わったときに表示される確認用画面である。図２（ｄ）では、登録した開始時刻および終了時刻が表示され、登録時間の確認が可能である。また、図２（ｄ）の画面においては、開始時刻および終了時刻の他に、件名、場所などの入力も可能であるが、それらの値についてはデフォルト表示される内容そのままで問題なければ、登録１４を実行する。
【００１２】
図３は、図２（ａ）の日表示画面の中で、予定入力操作に必要な部分のみを示した図である。図３に示すように、日表示画面においては、「０８：００」、「０９：００」、・・・のように一日の時刻が表示される時刻表示エリア１０と、入力ペン２で触れる（タッチする）ことにより、登録したい予定の開始時刻および終了時刻を入力するための時刻を入力するための時刻タッチエリア１１と、登録された予定を「会議」といったように簡易表示するための予定表示エリア１２とが設けられている。
【００１３】
予定登録時の操作について図４〜図６を用いて説明する。なお、図４は本実施の形態に係る携帯端末における予約登録時の画面の一例を示した図であり、図５は予約登録時の処理の流れを示した流れ図、図６は本実施の形態に係る携帯端末の構成を示した構成図である。図６において、２０はスケジュール予定登録部、２１はスケジュール日表示部、２２はスケジュール月表示部、２３はスケジュール週表示部、２４はデータ管理・記録部、２５はスケジュールデータデータベース（以下、スケジュールデータＤＢ）、２６はサーバデータ同期部、２７はデータ通信制御部、２８は仮想マシン／携帯端末ＯＳである。
【００１４】
スケジュール予定登録部２０は、ユーザから予定（スケジュール）の入力操作があった場合に、それを処理して、スケジュールデータＤＢ２５に登録するべく、当該データをデータ管理・記録部２４に入力する。
スケジュール日表示部２１は、図２（ａ）等に示す日表示を携帯端末１の画面に表示させる。なお、予定（スケジュール）の入力は、この日表示画面でのみ行うことができる。
スケジュール月表示部２２は、図２（ｃ）等に示す月表示を携帯端末１の画面に表示させる。
スケジュール週表示部２３は、図２（ｂ）等に示す週表示を携帯端末１の画面に表示させる。
データ管理・記録部２４は、スケジュール予定登録部２０により処理された予定（スケジュール）データを受け取り、スケジュールデータＤＢ２５に記憶させる。
スケジュールデータＤＢ２５は、登録された予定（スケジュール）データを記憶保持するデータベースである。
サーバデータ同期部２６は、図２（ａ）の「Ｓｙｎｃ」ボタン１３（同期ボタン）が押されたときに、携帯端末１の登録内容とセンタサーバ４の登録内容とを同期させる。
データ通信制御部２７は、センタサーバ４等の外部装置との間でデータの送受信を行う。
【００１５】
まず、図５に示すように、スケジュール日表示部２１により携帯端末１の画面を日表示画面に切り替えて表示する（ステップＳ１）。スケジュール予定登録部２０は、当該日表示画面において、時刻タッチエリア１１に対して入力ペン２によるタッチがあったか否かを判定する（ステップＳ２）。なお、入力ペン２によるタッチ後に、画面から入力ペン２を一度離すことで開始時刻の入力が終了する。このとき、図４（ａ）に示すように入力ペン２によるタッチがあって、かつ、画面から入力ペン２が一度離された場合には、スケジュール予定登録部２０は、入力ペン２がタッチした画面の位置から、登録したい予定（スケジュール）の開始時刻が何時であるかを演算により求める（ステップＳ３）。データ管理・記録部２４は、求められた開始時刻をスケジュールデータＤＢ２５に記録する（ステップＳ４）。次に、登録したい予定（スケジュール）の終了時刻が図４（ａ）の画面内に表示されていない場合には、図４（ｂ）に示すように、ユーザが画面のスクロール操作を行って、当該時刻が表示されるようにする。なお、スクロール操作は、入力ペン２によりスクロールバー（図２（ａ）の符号１７参照）を操作しても可能であるが、矢印キー操作でも、入力ペン２は画面から離れている状態であるため、スクロール操作は可能である。次に、当該日表示画面において、スケジュール予定登録部２０は、時刻タッチエリア１１に対して入力ペン２によるタッチがあったか否かを判定する（ステップＳ５）。なお、開始時刻の指定と同様に、入力ペン２によるタッチ後に、画面から入力ペン２を一度離すことで終了時刻の入力が終了する。このとき、図４（ｃ）に示すように入力ペン２によるタッチがあって、かつ、画面から入力ペン２が一度離された場合には、スケジュール予定登録部２０は、入力ペン２がタッチした画面の位置から、登録したい予定（スケジュール）の終了時刻が何時であるかを演算により求め（ステップＳ６）、先に指定された開始時刻より、今回指定された終了時刻が遅い時刻であるか否かを求め（ステップＳ７）、遅い時刻であれば、指定された終了時刻をスケジュールデータＤＢ２５に記録する（ステップＳ８）。一方、終了時刻が開始時刻より早い場合には、入力ミスとして、ステップＳ５に戻る。ステップＳ８の処理が終わると、図４（ｄ）に示すような予定の登録画面が表示される。当該登録画面には、入力された予定（スケジュール）の開始時刻と終了時刻と予定の分類や件名が表示される。当該画面により、ユーザは、入力したデータに誤りがないか否かを確認するとともに、必要に応じて、それらを修正したり、あるいは、登録したい予定が行われる場所や目的などのさらなる他のデータの入力を行ったりする。ユーザが、図４（ｄ）の画面で、「登録」ボタン（図２（ｄ）の符号１４参照）を押すことにより、入力された予定のスケジュールデータＤＢ２５への登録処理が実行されて、画面は図４（ｅ）のように日表示画面に戻り、いま入力した予定が表示される（ステップＳ１０）。
【００１６】
なお、図４（ａ）等に示されるように、本実施の形態においては、時刻タッチエリア１１は、各１時間の欄を４つの小さいエリアに分割している。各エリアは１５分ずつに対応している。すなわち、例えば、「０８：００」の中の一番上のエリアを入力ペン２がタッチした場合には、「０８：００」ちょうどを指し、上から２番目のエリアを入力ペン２がタッチした場合には、「０８：１５」を指し、上から３番目のエリアを入力ペン２がタッチした場合には、「０８：３０」を指し、上から４番目のエリアを入力ペン２がタッチした場合には、「０８：４５」を指すことになる。
【００１７】
従って、図４（ａ）の例では、入力ペン２は「０８：００」の欄の上から３番目のエリアをタッチしているので、「０８：３０」を指定している。
一方、図４（ｃ）の例では、入力ペン２は「１０：００」の欄の上から２番目のエリアをタッチしているので、入力ペン２は「１０：１５」を指定している。
【００１８】
以上のように、本実施の形態に係る携帯端末によれば、予定（スケジュール）の登録を行う際に、入力ペンにより開始時刻と終了時刻とを別々に画面タッチする２タッチ方式にして、２タッチの間に、画面スクロール等の他の操作の受け付けを可能して、２回の時刻指定操作と画面スクロール操作を分離するようにしたので、開始時刻と終了時刻とを同時に表示できないような画面サイズの小さな端末でも容易に予定（スケジュール）を入力することができ、便利である。
【００１９】
実施の形態２．
図７は、実施の形態２に係る携帯端末における予約登録時の画面の一例を示した図である。本実施の形態においては、時刻タッチエリアとして、図７（ａ）に示すような一日分の時刻が部分表示される第１の種別と、図７（ｂ）に示すような一日分の時刻がすべて同時に一画面に表示される第２の種別とが用意されていて、登録される予定の開始時刻は第１の種別による時刻タッチエリアにより入力され、終了時刻は第２の種別による上記時刻タッチエリアにより入力される。処理の流れは基本的に上述の図５と同じであり、他の構成については、上述の実施の形態１と同じであるため、ここでは説明を省略する。
【００２０】
本実施の形態においては、まず、図５に示すように、スケジュール日表示部２１により携帯端末１の画面を日表示画面に切り替えて表示する（ステップＳ１）。スケジュール予定登録部２０は、当該日表示画面において、時刻タッチエリア１１に対して入力ペン２によるタッチがあったか否かを判定する（ステップＳ２）。なお、入力ペン２によるタッチ後に、画面から入力ペン２を一度離すことで開始時刻の入力が終了する。このとき、図７（ａ）に示すように入力ペン２によるタッチがあって、かつ、画面から入力ペン２が一度離された場合には、スケジュール予定登録部２０は、入力ペン２がタッチした画面の位置から、登録したい予定（スケジュール）の開始時刻が何時であるかを演算により求める（ステップＳ３）。データ管理・記録部２４は、求められた開始時刻をスケジュールデータＤＢ２５に記録する（ステップＳ４）。これにより、図７（ｂ）に示すような一日中（２４時間）全部の時刻が表示された画面に切り替わる。図７（ｂ）の画面においては、時刻のみが表示されていて、図７（ａ）で表示されていた予約の内容等の他の表示は一切ないため、一日分が一つの画面で表示可能である。図７（ｂ）の画面においては、横４列、縦６列の升目状（マトリックス状）に各時刻を配置し、「００」が「００：００」を指し、「２３」が「２３：００」を指すという省略した表現により各時刻を表示している。また、「００」等の各時刻の表示の横に、「−＋−」という表示を設けている。これは、すなわち、「００」をタッチすると「００：００」を指し、その横の「−」をタッチすると「００：１５」を指し、「＋」をタッチすると「００：３０」を指し、「＋」の右となりの「−」をタッチすると「００：４５」を指すことになる。図７（ｂ）においては、図７（ａ）の画面で入力された予定の開始時刻が強調表示されている。
【００２１】
次に、当該図７（ｂ）の画面において、スケジュール予定登録部２０は、終了時刻を指定するための入力ペン２によるタッチがあったか否かを判定する（ステップＳ５）。なお、開始時刻の指定と同様に、入力ペン２によるタッチ後に、画面から入力ペン２を一度離すことで終了時刻の入力が終了する。このとき、図７（ｃ）に示すように入力ペン２によるタッチがあって、かつ、画面から入力ペン２が一度離された場合には、スケジュール予定登録部２０は、入力ペン２がタッチした画面の位置から、登録したい予定（スケジュール）の終了時刻が何時であるかを演算により求め（ステップＳ６）、先に指定された開始時刻より、今回指定された終了時刻が遅い時刻であるか否かを求め（ステップＳ７）、問題なければ入力ミスはないとして、指定された終了時刻をスケジュールデータＤＢ２５に記録する（ステップＳ８）。一方、終了時刻が開始時刻より早い場合には、入力ミスとして、ステップＳ５に戻る。ステップＳ８の処理が終わると、図７（ｄ）に示すような予定の登録画面が表示される。当該登録画面には、入力された予定（スケジュール）の開始時刻と終了時刻と予定の分類や件名が表示される。当該画面により、ユーザは、入力したデータに誤りがないか否かを確認するとともに、必要に応じて、それらを修正したり、あるいは、登録したい予定が行われる場所や目的などのさらなる他のデータの入力を行ったりする。ユーザが、図７（ｄ）の画面で、「登録」ボタン（図２（ｄ）の符号１４参照）を押すことにより、入力された予定のスケジュールデータＤＢ２５への登録処理が実行されて、画面は図７（ｅ）のように日表示画面に戻り、いま入力した予定が表示される（ステップＳ１０）。
【００２２】
上述したように、本実施の形態においては、図７（ｂ）等に示されるように、一日分を１つの画面に表示して、時刻タッチエリアを、各１時間の欄を４つの小さいエリアに分割している。各エリアは１５分ずつに対応している。すなわち、例えば、「０８−＋−」の中の一番左のエリアである「０８」を入力ペン２がタッチした場合には、「０８：００」ちょうどを指し、左から２番目のエリアである「−」を入力ペン２がタッチした場合には、「０８：１５」を指し、左から３番目のエリアである「＋」を入力ペン２がタッチした場合には、「０８：３０」を指し、左から４番目のエリアである「−」を入力ペン２がタッチした場合には、「０８：４５」を指すことになる。
【００２３】
但し、本実施の形態においても、開始時刻は、図７（ａ）の画面により入力するので、実施の形態１で説明した方法と全く同じやり方で入力を行う。
【００２４】
従って、図７（ａ）の例では、入力ペン２は「０８：００」の欄の上から３番目のエリアをタッチしているので、「０８：３０」を指定している。
一方、図７（ｃ）の例では、入力ペン２は「１０：００」の欄の左から３番目のエリアである「＋」をタッチしているので、入力ペン２は「１０：３０」を指定している。
【００２５】
以上のように、本実施の形態に係る携帯端末によれば、実施の形態１と同様に、予定（スケジュール）の登録を行う際に、入力ペンにより開始時刻と終了時刻とを別々に画面タッチする２タッチ方式にしたので、２タッチの間に、画面スクロール等の他の操作の受け付けを可能にしたので、開始時刻と終了時刻とを同時に表示できないような画面サイズの小さな端末でも容易に予定（スケジュール）を入力することができ、便利である。また、終了時刻を入力する図７（ｂ）の画面においては、一日分の時間を升目状に配置して１つの画面で同時に表示するようにしたので、予定（スケジュール）が日をまたがない場合には、画面をスクロールさせる必要もなく、さらに利便性が向上する。
【００２６】
なお、予定（スケジュール）が日をまたぐ場合には、図７（ｂ）の「次へ」ボタン１５を入力ペン２でタッチすることにより、次の日の２４時間分が表示される。また、さらにもう一度、「次へ」ボタン１５を入力ペン２でタッチすると、さらに次の日の２４時間分が表示される。こうして、何日分でも進めることができる。また、逆に、図７（ｂ）の「戻る」ボタン１６を入力ペン２でタッチすると、進めた日にちを戻すことができる。このようにすることにより、さらに高い操作性を得ることができる。また、「次へ」ボタン１５を長押しした場合に、長押しの時間に応じて、日にちの進み速度を加速するようにしてもよい。
【００２７】
実施の形態３．
図８は、実施の形態３に係る携帯端末における予約登録時の画面の一例を示した図である。本実施の形態においては、時刻タッチエリアとして、図８（ａ）に示すような一日分の時刻が部分表示される第１の種別と、図８（ｂ）に示すような一日分の時刻がすべて同時に一画面に表示される第２の種別とが用意されていて、登録される予定の開始時刻は第１の種別による時刻タッチエリアにより入力され、終了時刻は第２の種別による上記時刻タッチエリアにより入力される。処理の流れは基本的に上述の図５と同じであり、他の構成については、上述の実施の形態１および２と同じであるため、ここでは説明を省略する。
【００２８】
本実施の形態においては、まず、図５に示すように、スケジュール日表示部２１により携帯端末１の画面を日表示画面に切り替えて表示する（ステップＳ１）。スケジュール予定登録部２０は、当該日表示画面において、時刻タッチエリア１１に対して入力ペン２によるタッチがあったか否かを判定する（ステップＳ２）。なお、入力ペン２によるタッチ後に、画面から入力ペン２を一度離すことで開始時刻の入力が終了する。このとき、図８（ａ）に示すように入力ペン２によるタッチがあって、かつ、画面から入力ペン２が一度離された場合には、スケジュール予定登録部２０は、入力ペン２がタッチした画面の位置から、登録したい予定（スケジュール）の開始時刻が何時であるかを演算により求める（ステップＳ３）。データ管理・記録部２４は、求められた開始時刻をスケジュールデータＤＢ２５に記録する（ステップＳ４）。これにより、図８（ｂ）に示すような一日中（２４時間）全部の時刻が表示された画面に切り替わる。
【００２９】
図８（ｂ）の画面においては、時刻のみがアナログ時計のように帯グラフ状に表示されていて、図８（ａ）で表示されていた予約の内容等の他の表示は一切ないため、一日分が一つの画面で表示可能である。図８（ｂ）の画面においては、図９に示すように、外側のドーナツ形の部分がＡＭエリア（午前の１２時間分）で、内側の円形の部分がＰＭエリア（午後の１２時間分）を示している。角度３０°が１時間、角度１５°が３０分に相当している。図８（ｂ）の例においては、各エリアは角度１５°ずつに区切られているため、入力間隔は３０分単位となっている。外側の部分の任意のエリアを入力ペン２でタッチすると、午前の時間が指定され、内側の部分の任意のエリアを入力ペン２でタッチすると、午後の時間が指定される。図８（ｂ）においては、図８（ａ）の画面で入力された予定の開始時刻が強調表示されている。図８（ｂ）の例では、強調表示される部分の面積が広い方がわかりやすいので、指定された時間エリアの角度１５°の扇形において、ＡＭエリアとＰＭエリアの両方を強調表示するとともに、指定された時刻を入力時刻確認欄１８に表示するようにしている。しかしながら、この場合に限らず、指定された時間エリアの角度１５°の扇形において、ＡＭエリアかＰＭエリアのうちの指定された片方のみを強調表示するようにしてもよい。なお、ＡＭエリアとＰＭエリアを異なる色で表示するようにしてもよく、あるいは、夜間にあたる午後６：００〜午前５：３０を青色等の暗色で表示し、午前６：００〜午後５：３０を赤色等の明色で表示するようにしてもよい。その場合には、ユーザが午前と午後を誤って入力することを未然に防止できる効果がある。
【００３０】
次に、当該図８（ｂ）の画面において、スケジュール予定登録部２０は、終了時刻を指定するための入力ペン２によるタッチがあったか否かを判定する（ステップＳ５）。なお、開始時刻の指定と同様に、入力ペン２によるタッチ後に、画面から入力ペン２を一度離すことで終了時刻の入力が終了する。このとき、図８（ｃ）に示すように入力ペン２によるタッチがあって、かつ、画面から入力ペン２が一度離された場合には、スケジュール予定登録部２０は、入力ペン２がタッチした画面の位置から、登録したい予定（スケジュール）の終了時刻が何時であるかを演算により求め（ステップＳ６）、先に指定された開始時刻より、今回指定された終了時刻が遅い時刻であるか否かを求め（ステップＳ７）、問題なければ入力ミスはないとして、指定された終了時刻をスケジュールデータＤＢ２５に記録する（ステップＳ８）。一方、終了時刻が開始時刻より早い場合には、入力ミスとして、ステップＳ５に戻る。ステップＳ８の処理が終わると、図８（ｄ）に示すような予定の登録画面が表示される。当該登録画面には、入力された予定（スケジュール）の開始時刻と終了時刻と予定の分類や件名が表示される。当該画面により、ユーザは、入力したデータに誤りがないか否かを確認するとともに、必要に応じて、それらを修正したり、あるいは、登録したい予定が行われる場所や目的などのさらなる他のデータの入力を行ったりする。ユーザが、図８（ｄ）の画面で、「登録」ボタン（図２の符号１４参照）を押すことにより、入力された予定のスケジュールデータＤＢ２５への登録処理が実行されて、画面は図８（ｅ）のように日表示画面に戻り、いま入力した予定が表示される（ステップＳ１０）。
【００３１】
上述したように、本実施の形態においては、図８（ｂ）等に示されるように、一日分を１つの画面に表示して、時刻タッチエリアを、角度１５°ずつの小さいエリアに分割している。当該角度１５°の各エリアは３０分に対応している。すなわち、例えば、「００」と表示されている位置から時計回りに１つ目のエリアを入力ペン２がタッチした場合には、「００：００」ちょうどを指し、当該位置から２番目のエリアを入力ペン２がタッチした場合には、「００：３０」を指し、当該位置から３番目のエリアを入力ペン２がタッチした場合には、「０１：００」を指し、当該位置から４番目のエリアを入力ペン２がタッチした場合には、「０１：３０」を指すことになる。
【００３２】
但し、本実施の形態においても、開始時刻は、図８（ａ）の画面により入力するので、実施の形態１で説明した方法と全く同じやり方で入力を行い。１５分単位での入力が可能である。
【００３３】
従って、図８（ａ）の例では、入力ペン２は「０８：００」の欄の上から３番目のエリアをタッチしているので、「０８：３０」を指定している。
一方、図８（ｃ）の例では、入力ペン２は「０９」の位置から４番目のエリアをタッチしているので、入力ペン２は「１０：３０」を指定している。
【００３４】
以上のように、本実施の形態に係る携帯端末によれば、実施の形態１および２と同様に、予定（スケジュール）の登録を行う際に、入力ペンにより開始時刻と終了時刻とを別々に画面タッチする２タッチ方式にして、２タッチの間に、画面スクロール等の他の操作を受け付け可能にしたので、開始時刻と終了時刻とを同時に表示できないような画面サイズの小さな端末でも容易に予定（スケジュール）を入力することができ、便利である。また、終了時刻を入力する図８（ｂ）の画面においては、一日分の時間を帯グラフ状に１つの画面で同時に表示するようにしたので、予定（スケジュール）が日をまたがない場合には、画面をスクロールさせる必要もなく、さらに利便性が向上する。また、本実施の形態においては、アナログ時計式に２４時間を表示したので、直感的に予約時間帯を把握することができ、わかりやすい。
【００３５】
なお、本実施の形態においては、角度１５度ずつに時間エリアが区切られており、各エリアに対して時間表示がなされていないので、入力ミスを起こす可能性が考えられる。そのため、図８（ｂ）および（ｃ）に示すように、入力時刻確認欄１８を設けて、そこに入力された時刻を表示して、ユーザが確認できるようにしてもよい。また、ユーザが確認して入力ミスを取り消して再入力したい場合のために、取消ボタン１９を設けておいて、入力の取消ができるようにしてもよい。
【００３６】
実施の形態４．
上記の実施の形態１〜３においては、入力ペン２を用いて入力を行う携帯端末を例に挙げて説明した。本実施の形態においては、入力ペン２を用いずに、図１０に示すようなフロントジョグ４０とセンターキー４１とで入力を行うようにする。
【００３７】
フロントジョグ４０には、上下左右がボタンになっていて、それらのうちのいずれかを押すことにより、その方向にカーソルを移動させることができるものである。また、センターキー４１は「確定」ボタンとなっていて、フロントジョグ４０で移動させたカーソル位置で良い場合にセンターキー４１を押すことにより、当該カーソル位置が入力として登録される。
【００３８】
本実施の形態は、上記の実施の形態１〜３のいずれの構成にも適用可能であるが、例えば、図４の例で説明すれば、カーソルははじめに時間タッチエリアの一番上のエリアに位置している。その状態で、フロントジョグ４０の「上」か「下」のいずれかのボタンを押すことにより、その方向に向かってカーソルは１つずつ上または下の時間エリアに移動していく。登録したい予定（スケジュール）の開始時刻にカーソルがきたときに、センターキー４１を押下することにより開始時刻の入力が終了する。次に、フロントジョグ４０の「下」のボタンを押して、カーソルを１つずつ下の時間エリアに移動させていき（なお、行き過ぎた場合には、「上」のボタンでカーソルを１つずつ上へ移動させて戻る）、登録したい予定（スケジュール）の終了時刻にカーソルがきたときに、センターキー４１を押下げ、それにより終了時刻の入力が終了する。その結果、図４（ｄ）の画面が表示されるので、内容を確認し、問題なければ「登録」ボタン（図２の符号１４参照）を押して、当該予定を登録させる。これにより、図４（ｅ）の画面に戻る。
【００３９】
以上のように、本実施の形態においても、上述の実施の形態１〜３と同様の効果が得られるとともに、さらに、本実施の形態においては、入力ペン２を用いずに、フロントジョグ４０でカーソルを移動させて、センターキー４１で確定するようにしたので、片手での入力も可能になり、さらに利便性が向上する。
【００４０】
なお、フロントジョグ４０を特別に設けなくても、カーソルを動かすための矢印キーがあれば、それを操作するようにしてもよい。また、センターキー４１についても同様で、特別に設けなくても、エンターキーが設けられているものであれば、それを操作するようにしてもよい。
【００４１】
実施の形態５．
上記の実施の形態１〜４においては、予定（スケジュール）を携帯端末１に登録する例について説明した。本実施の形態においては、図２（ａ）の「Ｓｙｎｃ」ボタン１３（同期ボタン）を押すことにより、図１に示すように、携帯端末１に登録されている登録内容とセンタサーバ４に登録されている登録内容とが同期する。
【００４２】
なお、同期させる場合には、以下のいずれでもよい。
（１）携帯端末１の登録内容に、センタサーバ４の登録内容を合わせる。
（２）センタサーバ４の登録内容に、携帯端末１の登録内容を合わせる。
（３）最新の登録内容を「正」と見なして、センタサーバ４および携帯端末１のいずれかに登録された最新の登録内容に両者を合わせる。
【００４３】
以上のように、本実施の形態によれば、上記の実施の形態１〜４と同様の効果が得られるとともに、さらに、「Ｓｙｎｃ」ボタン１３を押すだけで、携帯端末１とセンタサーバ４の登録内容を同期させることができるので、さらに便利である。
【００４４】
実施の形態６．
上記の実施の形態１〜５においては、本発明をスケジュール管理機能に適用する例を述べたが、その場合に限らず、本発明はＴｏＤｏ機能にも適用可能であり、その場合にも、同様の効果が得られることは言うまでもない。なお、ＴｏＤｏ機能とは、しなければならない事柄（仕事内容等）を締め切り日情報とともに登録しておく機能のことである。
【図面の簡単な説明】
【００４５】
【図１】この発明に係るシステム全体の構成を示した構成図である。
【図２】この発明に係る携帯端末の画面の一例を示した説明図である。
【図３】この発明に係る携帯端末の画面の一例を示した説明図である。
【図４】この発明の実施の形態１に係る携帯端末の画面の一例を示した説明図である。
【図５】この発明に係る携帯端末の処理の流れを示した流れ図である。
【図６】この発明に係る携帯端末の構成を示したブロック図である。
【図７】この発明の実施の形態２に係る携帯端末の画面の一例を示した説明図である。
【図８】この発明の実施の形態３に係る携帯端末の画面の一例を示した説明図である。
【図９】この発明の実施の形態３に係る携帯端末の画面の表示形式を示した説明図である。
【図１０】この発明の実施の形態４に係る携帯端末の一例を示した外観図である。
【符号の説明】
【００４６】
１  携帯端末、２  入力ペン、３  インターネット、４  センタサーバ、１０  時刻表示エリア、１１  時刻タッチエリア、１２  予定表示エリア、１３  「Ｓｙｎｃ」ボタン、１４  「登録」ボタン、１５  「次へ」ボタン、１６  「戻る」ボタン、１７  スクロールバー、１８  入力時刻確認欄、１９  取消ボタン、２０  スケジュール予定登録部、２１  スケジュール日表示部、２２  スケジュール月表示部、２３  スケジュール週表示部、２４  データ管理・記録部、２５  スケジュールデータＤＢ、２６  サーバデータ同期部、２７  データ通信制御部、２８  仮想マシン／携帯端末ＯＳ。
【図１】
0004469779.tif 000002
【図２】
0004469779.tif 000003
【図３】
0004469779.tif 000004
【図４】
0004469779.tif 000005
【図５】
0004469779.tif 000006
【図６】
0004469779.tif 000007
【図７】
0004469779.tif 000008
【図８】
0004469779.tif 000009
【図９】
0004469779.tif 000010
【図１０】
0004469779.tif 000011